(57)【要約】【課題】被取付部に当接させた部材の付勢力を利用して監視部品を取付ける場合に、意匠性を維持しつつ、監視部品を強固に取付けできるようにすること。【解決手段】バンパー等の被取付板１０に形成された取付孔１１の一方面側より係止可能な取付孔係止部２２を有するエスカッション部材２０と、前記被取付板１０の他方面側に配設された状態で前記エスカッション部材２０に取付けられたカメラ３０と、カメラ３０を被取付板１０の他方面から離間する方向に付勢するリテーナ部材４０とを備える。リテーナ部材４０は、被取付板１０のうち取付孔係止部２２が当接する部分の他方面に当接して、カメラ３０を付勢する。【選択図】図１
2005308014.tif 000002
【特許請求の範囲】
【請求項１】
取付孔が形成された車両の被取付部に、監視部品を取付けるための監視部品取付部構造であって、
前記取付孔の周縁部に前記被取付部の一方面側より係止可能な取付孔係止部を有する取付部材と、
前記被取付部の他方面側に配設された状態で前記取付部材に取付けられた監視部品と、
前記監視部品を前記被取付部の他方面から離間する方向に付勢する付勢部材と、
を備え、
前記付勢部材は、前記被取付部のうち前記取付孔係止部が係合する部分の他方面に当接して、前記監視部品を付勢する、監視部品取付部構造。
【請求項２】
請求項１記載の監視部品取付部構造であって、
前記付勢部材は、前記監視部品から外方に向けて延びる第１の弾性片と、この第１の弾性片の先端部に屈曲部を介して連設され前記被取付部のうち前記取付孔係止部が係合する部分の他方面に向けて延びる第２の弾性片とを有する、監視部品取付部構造。
【請求項３】
請求項１又は請求項２記載の監視部品取付部構造であって、
前記付勢部材のうち前記被取付部の他方面に当接する部分に、その他方面側に向けて突出する突起部を形成した、監視部品取付部構造。
【発明の詳細な説明】
【技術分野】
【０００１】
この発明は、カメラ装置やセンサ等の監視部品を車両に取付けるための技術に関する。
【背景技術】
【０００２】
カメラ装置やセンサ等の監視部品を車両に取付ける構成としては、監視部品とフランジ部とを一体化し、被取付部に形成された取付用孔に前記フランジ部を係合させると共に、被取付部に当接させたリテーナ部材の弾性力をもって、監視部品を取付用孔から離間する方向に付勢する構成のものが提案される。
【発明の開示】
【発明が解決しようとする課題】
【０００３】
ところで、上記取付構成において、取付強度を強固にするためには、リテーナ部材に大きな弾性力を持たせる必要がある。そうすると、リテーナ部材が、非常に大きな力で被取付部に当接してしまう。このため、被取付部のうちリテーナ部材の当接部分が変形してしまい、意匠性が悪化してしまうという問題がある。
【０００４】
特に、被取付部が、車両におけるバンパー等、比較的軟らかく耐クリープ性に劣る樹脂で形成されているような場合には、上記問題が発生し易い。
【０００５】
また、被取付部の取付面が曲面である場合等にも安定した固定力を得ることができるように、リテーナ部材のうち被取付部との当接部分に凸部を形成した場合にも、リテーナ部材による付勢力が局所に集中して作用するため、上記問題が発生し易い。
【０００６】
そこで、本発明は、被取付部に当接させた部材の付勢力を利用して監視部品を取付ける場合に、意匠性を維持しつつ、監視部品を強固に取付けできる技術を提供することを目的とする。
【課題を解決するための手段】
【０００７】
上記課題を解決するため、この発明は、取付孔が形成された車両の被取付部に、監視部品を取付けるための監視部品取付部構造であって、前記取付孔の周縁部に前記被取付部の一方面側より係止可能な取付孔係止部を有する取付部材と、前記被取付部の他方面側に配設された状態で前記取付部材に取付けられた監視部品と、前記監視部品を前記被取付部の他方面から離間する方向に付勢する付勢部材と、を備え、前記付勢部材は、前記被取付部のうち前記取付孔係止部が係合する部分の他方面に当接して、前記監視部品を付勢するものである。
【０００８】
なお、前記付勢部材は、前記監視部品から外方に向けて延びる第１の弾性片と、この第１の弾性片の先端部に屈曲部を介して連設され前記被取付部のうち前記取付孔係止部が係合する部分の他方面に向けて延びる第２の弾性片とを有していてもよい。
【０００９】
また、前記付勢部材のうち前記被取付部の他方面に当接する部分に、その他方面側に向けて突出する突起部を形成してもよい。
【発明の効果】
【００１０】
この発明によると、付勢部材は、被取付部のうち取付孔係止部が係合する部分の他方面に当接して、前記監視部品を付勢するため、付勢部材と被取付部との当接部分で被取付部が変形したとしても、その変形部分は取付孔係止部により隠れている。このため、意匠性を維持しつつ、付勢手段による付勢力を大きくして監視部品を強固に取付けできる。
【００１１】
また、付勢部材が、監視部品から外方に向けて延びる第１の弾性片と、この第１の弾性片の先端部に屈曲部を介して連設され前記被取付部のうち前記取付孔係止部が係合する部分の他方面に向けて延びる第２の弾性片とを有していると、簡易な構成で、付勢部材を前記被取付部のうち前記取付孔係止部が係合する部分の他方面に当接させることができる。
【００１２】
さらに、付勢部材のうち被取付部の他方面に当接する部分に、その他方面側に向けて突出する突起部を形成すると、その被取付部の他方面側が曲面である場合でも、監視部品を安定した姿勢で取付けることができる。
【発明を実施するための最良の形態】
【００１３】
以下、この発明の実施形態に係る監視部品取付部構造について説明する。
【００１４】
図１は監視部品取付部構造を示す分解斜視図であり、図２はリテーナ部材を示す斜視図であり、図３は監視部品の取付状態を示す説明図であり、図４はエスカッション部材を被取付板に取付けて被取付板の他方面側からみた状態を示す斜視図である。
【００１５】
ここでは、車両のバンパー等の被取付板１０に、障害物への接近距離を検出するカメラ３０を取付けるための構成について説明するが、その他、種々のセンサ（クリアランスソナー等）、車両周辺景色を撮像するためのカメラ装置等、一部を外部に露出させた状態で取付けられる諸監視部品の取付に適用できる。
【００１６】
監視部品取付部構造は、取付部材としてのエスカッション部材２０と、監視部品としてのカメラ３０と、付勢部材としてのリテーナ部材４０とを備えている。
【００１７】
ここで、取付対象となる被取付板１０には、略正８角形状の取付孔１１が形成されている。なお、取付孔１１は、その他の多角形状、略円形状、楕円形状や多角形状であってもよい。かかる被取付板１０の取付孔１１部分に、本監視部品取付部構造が組付けられる。
【００１８】
エスカッション部材２０は、樹脂等により形成された部材であり、フランジ状の取付孔係止部２２と、この取付孔係止部２２の一方面側に突設された外嵌筒部２４とを備えている。
【００１９】
取付孔係止部２２は、取付孔１１よりも大きな広がりを持つ円板形状に形成されており、取付孔１１の周縁部に被取付板１０の一方面（例えば、バンパーの外側となる面）側より係止可能に構成されている。また、取付孔係止部２２の中央部には、カメラ３０の撮像レンズ部３２の先端部を挿入配置可能な孔部２２ｈが形成されている。カメラ３０の撮像レンズ部３２の先端部が、該孔部２２ｈを通じて外部に臨むことにより外部景色が撮像可能とされる。
【００２０】
外嵌筒部２４は、前記孔部２２ｈの周縁部から被取付板１０の一方面側に向けて突出する略円筒状に形成されている。この外嵌筒部２４は、カメラ３０の撮像レンズ部３２に外嵌め可能に形成されている。
【００２１】
また、この外嵌筒部２４の内周部に、少なくとも一つの係合凸部２６が形成されており、この係合凸部２６は、後述する被係合凸部３３に係合可能に構成されている。本実施形態では、外嵌筒部２４の内周部に、その周方向に沿って適宜間隔をあけて複数の係合凸部２６が形成されている。
【００２２】
また、外嵌筒部２４の外周囲に、上記取付孔１１の周縁部に回り止状に係合可能な回り止部２８が形成されている。ここでは、外嵌筒部２４の外周囲に、取付孔１１の各頂点部分に合わせた各位置に、突条状の回り止部２８が複数形成されている。そして、外嵌筒部２４を取付孔１１内に嵌め込んだ状態で、各回り止部２８が取付孔１１の各頂点部分に係合して、取付孔１１に対する外嵌筒部２４の回り止が図られるように構成されている。
【００２３】
カメラ３０は、所定の駆動回路や信号処理回路等を組込んだボックス状の本体部３１の一方面側に、撮像を行うための光学レンズ等を組込んだ撮像レンズ部３２が突出形成された形状を有している。
【００２４】
本体部３１の側面であって撮像レンズ部３２には、リテーナ部材４０側の係止片４４の係合孔部４４ｈに係合可能な突起状の係合部３１ａが形成されている。
【００２５】
撮像レンズ部３２は、上記外嵌筒部２４内に内嵌め可能に構成されると共に、その外周囲に上記係合凸部２６に係合可能な被係合凸部３３が形成されてなる。ここでは、撮像レンズ部３２の外周部に、その周方向に沿って適宜間隔をあけて複数の被係合凸部３３が形成されている。そして、撮像レンズ部３２を外嵌筒部２４内に内嵌めした状態で、外嵌筒部２４に対して撮像レンズ部３２を相対的に回転させることで、係合凸部２６と被係合凸部３３とが抜止め状に係合するように構成されている。
【００２６】
また、撮像レンズ部３２は、リテーナ部材４０の孔部４２ｈ内に挿入可能に形成されており、その基端部側にリテーナ回り止部３２ａが形成されている。そして、本体部３１の一方面側に当接するまでリテーナ部材４０を外嵌筒部２４に外嵌めした状態で、リテーナ回り止部３２ａが孔部４２ｈの切欠部４２ｈａに嵌り込んで、カメラ３０とリテーナ部材４０との相対的な回転を防止する。
【００２７】
リテーナ部材４０は、鋼材や樹脂等の弾性材料により形成されて、カメラ３０を被取付板１０の他方面（例えば、バンパーの内側となる面）から離間する方向に付勢する付勢部材であり、基板部４２と、この基板部４２の４隅に形成された付勢脚部４６とを備えている。
【００２８】
基板部４２は、本体部３１の一方面側に対応する広がりを持つ略方形板状に形成されており、その略中央部に撮像レンズ部３２を挿入可能な孔部４２ｈが形成されている。
【００２９】
そして、撮像レンズ部３２を孔部４２ｈ内に挿入配置しつつ、基板部４２を本体部３１の一方面に密着させるように配設可能に構成されている。
【００３０】
また、孔部４２ｈの周縁部であって上記リテーナ回り止部３２ａに対応する位置には、上記リテーナ回り止部３２ａが回り止状に係合可能な切欠部４２ｈａが形成されている。
【００３１】
さらに、基板部４２の各四方側縁部に、本体部３１の側面に沿うように屈曲形成された係止片４４が形成されている。この係止片４４のうち左右の側縁部には、上記係合部３１ａを係合可能な係合孔部４４ｈが形成されている。
【００３２】
そして、基板部４２を本体部３１の一方面側に密着させるように配設した状態で、各リテーナ回り止部３２ａが各切欠部４２ｈａ内に嵌り込んで係合すると共に、本体部３１の係合部３１ａが係止片４４の係合孔部４４ｈに係合する。これにより、カメラ３０とリテーナ部材４０とが、相対的な回転を規制された状態で、一体的に組合わされる。
【００３３】
また、各付勢脚部４６は、被取付板１０であって上記取付孔係止部２２が係合する部分の他方面（以下、係合部分の他方面という）１０Ａ（図４参照）に当接して、カメラ３０を被取付板１０の他方面側から離間する方向に付勢する機能を有している。
【００３４】
より具体的には、各付勢脚部４６は、帯状片を略Ｕ字状に屈曲した形状であり、即ち、各付勢脚部４６は、基板部４２の隅部からカメラ３０の外方に向けて延びる略長方形板状の第１の弾性片４６ａと、この第１の弾性片４６ａの先端部に屈曲部４６ｂを介して連結され上記係合部分の他方面１０Ａに向けて延びる第２の弾性片４６ｃとを有している。
【００３５】
また、第２の弾性片４６ｃのうち上記係合部分の他方面１０Ａに当接する部分、ここでは、第２の弾性片４６ｃの先端部に、その係合部分の他方面１０Ａ側に向けて突出する突起部４６ｄが形成されている。ここでは、突起部４６ｄは、半円球状突起状に形成されている。
【００３６】
そして、基板部４２を本体部３１の一方面側に配設した状態で、各付勢脚部４６を本体部３１と被取付板１０との間で圧縮させるように弾性変形させつつ、各付勢脚部４６の先端部を上記係合部分の他方面に当接させると、各付勢脚部４６が原形に復帰しようとする弾性力により、カメラ３０が被取付板１０から離間する方向に付勢されることになる。
【００３７】
なお、付勢脚部４６の数は上記例に限られず、２つ、３つ或は５つ以上あってもよい。
【００３８】
このように構成された監視部品取付部構造の組立手順について説明する。
【００３９】
まず、本体部３１の一方面側に当接するまでリテーナ部材４０を外嵌筒部２４に外嵌めして、カメラ３０にリテーナ部材４０を取付けておく。
【００４０】
そして、エスカッション部材２０の外嵌筒部２４を、被取付板１０の一方面側から取付孔１１内に挿入し、外嵌筒部２４を被取付板１０の他方面側に突出させる。
【００４１】
続いて、外嵌筒部２４を撮像レンズ部３２に外嵌めするように、カメラ３０とエスカッション部材２０とを接近移動させる。この際、各付勢脚部４６の先端部が、被取付板１０のうち係合部分の他方面１０Ａに当接するので、この付勢脚部４６の弾性力に抗してカメラ３０を押込む。
【００４２】
そして、一定程度押込んだ状態で、外嵌筒部２４と撮像レンズ部３２とを相対回転させることで、係合凸部２６と被係合凸部３３とが抜止め状に係合し、エスカッション部材２０とカメラ３０とが一体的に組合わされる。
【００４３】
そして、カメラ３０を押込む力が解除された状態では、取付孔係止部２２が取付孔１１の周縁部に被取付板１０の一方面側より係止した状態で、各付勢脚部４６により、カメラ３０が被取付板１０の他方面側から離間する方向に付勢されて、カメラ３０が被取付板１０に取付けられる。この際、付勢脚部４６の先端部に突起部４６ｄが形成されているため、該付勢脚部は被取付板１０の他方面に点接触した状態となっている。
【００４４】
以上のようにしてカメラ３０の取付作業が終了する。
【００４５】
以上のように構成された監視部品取付部構造によると、リテーナ部材４０の付勢脚部４６は、被取付板１０のうち取付孔係止部２２が係合する部分の他方面１０Ａに当接して、カメラ３０を付勢している。このため、たとえリテーナ部材４０の弾性力により各付勢脚部４６の先端部が被取付板１０の他方面に強く当接し、クリープ等の要因とも相まって当該当接部分で被取付板１０が変形したとしても、その変形部分は取付孔係止部２２により隠れている。このため、該変形部分を外から視認することはできず、意匠性を維持できる。このため、意匠性を維持しつつ、リテーナ部材４０による付勢力を大きくしてカメラ３０を強固に取付けできる。
【００４６】
また、リテーナ部材４０は、カメラ３０から外方に向けて延びる第１の弾性片４６ａと、この第１の弾性片４６ａの先端部に屈曲部４６ｂを介して連設され被取付板１０のうち取付部分の他方面１０Ａに向けて延びる第２の弾性片４６ｃとを有しているため、簡易な構成で、力の支点を内側に配して付勢脚部４６を前記取付部分の他方面１０Ａに当接させることができる。
【００４７】
しかも、付勢脚部４６のうち被取付板１０の他方面に当接する部分に、その他方面側に向けて突出する突起部４６ｄを形成しているため、たとえ被取付板１０の他方面が曲面であったとしても、該付勢脚部４６と被取付板１０の他方面とは点接触する。このため、付勢脚部４６と被取付板１０の他方面との間でのがたつきを防止でき、カメラ３０を安定した姿勢で取付けることができる。
【００４８】
なお、突起部４６ｄが被取付板１０の他方面に線接触する突起形状であってもよく、この場合でも、付勢脚部４６が被取付板１０の他方面に面接触する場合と比べて、優れたがたつき防止効果を得ることができる。
【００４９】
また、本実施形態では、リテーナ部材４０がカメラ３０と被取付板１０との間に圧縮状に介在して、カメラ３０を被取付板１０の他方面から離反する方向に付勢しているが、この構成に限られない。例えば、カメラ３０にねじ止或は係合構成を用いて一体化した板バネ等の付勢部材を、被取付板１０の他方面側に当接させる構成であってもよい。要するに、付勢部材が、被取付板１０のうち取付孔係止部２２の当接部分の他方面で当接しつつ、カメラ３０等の監視部品を該他方面から離間する方向に付勢する種々の構成を採用することができる。
【図面の簡単な説明】
【００５０】
【図１】監視部品取付部構造を示す分解斜視図である。
【図２】リテーナ部材を示す斜視図である。
【図３】カメラの取付状態を示す説明図である。
【図４】エスカッション部材を被取付板に取付けた状態を示す斜視図である。
【符号の説明】
【００５１】
１０  被取付板
１０Ａ  係合部分の他方面
２０  エスカッション部材
２２  取付孔係止部
３０  カメラ
４０  リテーナ部材
４６  付勢脚部
４６ａ  第１の弾性片
４６ｂ  屈曲部
４６ｃ  第２の弾性片
４６ｄ  突起部
【図１】
2005308014.tif 000003
【図２】
2005308014.tif 000004
【図３】
2005308014.tif 000005
【図４】
2005308014.tif 000006